(57)【要約】      （修正有）【課題】入隅型の壁構造を有する玄関ドアに使用でき、ドア及びドア枠に加工を施すことなく装着でき、ドアを確実にロックすることができる補助錠用金具及びこの金具を用いた補助錠装置を提供する。【解決手段】ドア枠１に固定される取り付けプレート２０のドア２より外側に配置される外側端部２１に嵌合する補助錠用金具１０は、一端に設けられ取り付けプレートの外側端部が挿入可能な挿入部１１と、ドアの外表面を押さえる扉押さえ部１２と、他端に設けられた錠杆挿通孔１３ａ、１３ｂ、１３ｃとを有する略箱状の外側部材１０ａと、一端に取り付けプレートの施錠用挿通孔に挿通可能な突部を、他端に錠杆挿通孔１８ａ、１８ｂ、１８ｃを有し、外側部材の内側にスライド可能に配置された内側部材１０ｂとを備えている。内側部材は外側部材の一方の端部側にスライドされると、突部が取り付けプレートの施錠用挿通孔に挿通されてロック状態となる。【選択図】図１
2016211159.tif 000002
【特許請求の範囲】
【請求項１】
ドア枠に固定されており、ドアより外側に配置される外側端部に施錠用挿通孔を有する取り付けプレートの前記外側端部に嵌合し該ドアの外表面を押さえる補助錠用金具であって、
一方の端部に設けられ前記取り付けプレートの前記外側端部が挿入可能な挿入部と、前記ドアの外表面を押さえる扉押さえ部と、他方の端部に設けられた少なくとも１つの錠杆挿通孔とを有する略箱状の外側部材と、
一方の端部に設けられており前記取り付けプレートの前記施錠用挿通孔に挿通可能な突部と、他方の端部における前記外側部材の前記少なくとも１つの錠杆挿通孔に対応する位置に設けられた少なくとも１つの錠杆挿通孔とを有し、前記外側部材の内側にスライド可能に配置された内側部材とを備え、
前記内側部材は前記外側部材の前記一方の端部側にスライドされると、前記突部が前記取り付けプレートの前記施錠用挿通孔に挿通されてロック状態となるように構成されていることを特徴とする補助錠用金具。
【請求項２】
前記外側部材及び前記内側部材の各々は、複数の錠杆挿通孔を有していることを特徴とする請求項１に記載の補助錠用金具。
【請求項３】
前記扉押さえ部の少なくとも前記ドアの外表面に当接する面に緩衝材が設けられていることを特徴とする請求項１又は２に記載の補助錠用金具。
【請求項４】
前記外側部材の前記挿入部の外側に前記ドア枠の外表面を押さえる鍔部が設けられていることを特徴とする請求項１から３のいずれか１項に記載の補助錠用金具。
【請求項５】
前記鍔部の少なくとも前記ドア枠の外表面に当接する面に緩衝材が設けられていることを特徴とする請求項４に記載の補助錠用金具。
【請求項６】
前記扉押さえ部の前記ドアの外表面に当接する側に配置され、前記内側部材の他方の端部を閉止するための折り曲げ部を有する下カバーをさらに備えていることを特徴とする請求項１又は２に記載の補助錠用金具。
【請求項７】
前記内側部材には、前記外側部材のガイド穴に挿通して前記外側部材に連結すると共に、前記ガイド穴に沿ってスライド可能なガイドピンが設けられており、
前記ガイドピンは、スライド操作を行うためのつまみ部を有していることを特徴とする請求項１から６のいずれか１項に記載の補助錠用金具。
【請求項８】
請求項１から７のいずれか１項に記載の補助錠用金具と、前記取り付けプレートと、前記補助錠用金具の前記少なくとも１つの錠杆挿通孔に挿通する錠杆を有する少なくとも１つの錠とを備えていることを特徴とする補助錠装置。
【発明の詳細な説明】
【技術分野】
【０００１】
本発明は、開き戸（ドア）において、既設の錠とは別個にそのドアのロック及びロック解除を行うための補助錠用の金具及びこの金具を用いた補助錠装置に関する。
【背景技術】
【０００２】
開き戸（ドア）及び戸枠（ドア枠）に加工を施すことなく補助錠を取り付けることができる補助錠装置は公知である。例えば、特許文献１には、一端がコ状に折り曲げて嵌合部が形成され、その端部フランジにねじが螺合され、他端部に錠杆挿通孔が穿設された取り付けプレートと、この取り付けプレートの他端に嵌合しうるとともに錠杆挿通孔を有するＵ状の係止金具と、錠杆挿通孔に挿通する錠杆を有する錠とから構成された補助錠装置が開示されている。
【０００３】
アパートやマンション等の部屋を改修工事する場合や、入居希望者にアパートやマンション等の部屋を内覧のために案内する場合、工事業者又は不動産業者は多数の部屋の鍵を持ってそれぞれの部屋の開閉を行う。この場合、多数の鍵を持ち歩いて使用及び管理する必要があり、非常に不便であると共に鍵を紛失してしまう可能性もある。
【０００４】
このような不都合を解消する補助錠装置（ロック装置）として、例えば、特許文献２には、ドア枠に固定される取り付け部と、ドアの開放を規制する状態と許容する状態に切換可能な開放規制部とを連結してなり、取り付け部は、室内側において操作可能とされ、開放規制部は、室外側において操作可能とされて、鍵を用いない符号式又はダイヤル式の南京錠によってドアの開放を規制する状態に保持される構成を有するロック装置が開示されている。
【先行技術文献】
【特許文献】
【０００５】
【特許文献１】実公昭５５−２９６４９号公報
【特許文献２】特開２００２−１６８０２２号公報
【発明の概要】
【発明が解決しようとする課題】
【０００６】
しかしながら、上述した従来の補助錠装置（ロック装置）は、施錠する際に、南京錠やディンプル錠を使用するため、玄関ドアの両サイドの壁がフラットではない入隅型構造である場合、即ち、ドア枠側の壁が立ち上がっている構造の場合は、南京錠やディンプル錠が壁と接触して施錠できないという問題点があった。
【０００７】
また、従来の補助錠装置（ロック装置）の場合、力ずくで取り付けプレートを曲げ、ドアをこじ開けて室内へ侵入することも可能であるため、防犯上の問題もあった。
【０００８】
従って、本発明の目的は、入隅型の壁構造を有する玄関ドアに使用でき、ドア及びドア枠に加工を施すことなく装着でき、ドアを確実にロックできる補助錠用金具及びこの金具を用いた補助錠装置を提供することにある。
【０００９】
本発明の他の目的は、取り付けプレートを曲げてドアがこじ開けられることを防止できる補助錠用金具及びこの金具を用いた補助錠装置を提供することにある。
【課題を解決するための手段】
【００１０】
本発明によれば、ドア枠に固定されており、ドアより外側に配置される外側端部に施錠用挿通孔を有する取り付けプレートの外側端部に嵌合しドアの外表面を押さえる補助錠用金具が提供される。この補助錠用金具は、一方の端部に設けられ取り付けプレートの外側端部が挿入可能な挿入部と、ドアの外表面を押さえる扉押さえ部と、他方の端部に設けられた少なくとも１つの錠杆挿通孔とを有する略箱状の外側部材と、一方の端部に設けられており取り付けプレートの施錠用挿通孔に挿通可能な突部と、他方の端部における外側部材の少なくとも１つの錠杆挿通孔に対応する位置に設けられた少なくとも１つの錠杆挿通孔とを有し、外側部材の内側にスライド可能に配置された内側部材とを備えている。内側部材は外側部材の一方の端部側にスライドされると、突部が取り付けプレートの施錠用挿通孔に挿通されてロック状態となるように構成されている。
【００１１】
外側部材はその他方の端部に設けられた少なくとも１つの錠杆挿通孔を有し、内側部材は外側部材の内側にスライド可能に配置され、施錠用挿通孔に挿通可能な突部と、外側部材の少なくとも１つの錠杆挿通孔に対応する位置に設けられた少なくとも１つの錠杆挿通孔とを有している。内側部材は外側部材の一方の端部側にスライドされると、突部が取り付けプレートの施錠用挿通孔に挿通されてロック状態となる。これにより、従来の取り付けプレートと組み合わせて、錠と壁とが接触して施錠できないという問題点を解決し、入隅型の壁構造を有する玄関ドアに使用でき、ドアを確実にロックすることができる。また、ドア及びドア枠に加工を施すことなく装着できる。さらに、入隅型の壁構造を有する玄関ドアの場合、力ずくで取り付けプレートを曲げようとしても、外側部材が壁にぶつかるため、ドアがこじ開けられることを防止できる。
【００１２】
外側部材及び内側部材の各々は、複数の錠杆挿通孔を有していることが好ましい。これにより、２つ以上の錠で施錠することができ、防犯性をより高めることができる。
【００１３】
扉押さえ部の少なくともドアの外表面に当接する面に緩衝材が設けられていることが好ましい。これにより、補助錠用金具によりドアの外表面を傷つけることを防止することができる。
【００１４】
外側部材の挿入部の外側にドア枠の外表面を押さえる鍔部が設けられていることが好ましい。これにより、入隅型以外の壁構造を有する玄関ドア（即ち、ドア枠側の壁がフラットである）の場合、力ずくで取り付けプレートが曲げられてドアがこじ開けられることを防止できる。
【００１５】
鍔部の少なくともドア枠の外表面に当接する面に緩衝材が設けられていることが好ましい。これにより、補助錠用金具によりドア枠の外表面を傷つけることを防止できる。
【００１６】
扉押さえ部のドアの外表面に当接する側に配置され、内側部材の他方の端部を閉止するための折り曲げ部を有する下カバーをさらに備えていることが好ましい。これにより、外側部材の内部にゴミを入れられる等のいたずらを防止することができる。
【００１７】
内側部材には、外側部材のガイド穴に挿通して外側部材に連結すると共に、ガイド穴に沿ってスライド可能なガイドピンが設けられており、ガイドピンは、スライド操作を行うためのつまみ部を有していることが好ましい。これにより、内側部材のスライド操作が容易にできる。
【００１８】
また、本発明によれば、補助錠装置は、上述した補助錠用金具と、上述した取り付けプレートと、補助錠用金具の少なくとも１つの錠杆挿通孔に挿通する錠杆を有する少なくとも１つの錠とを備えている。これにより、入隅型（又は入隅型以外）の壁構造を有する玄関ドアに使用でき、ドア及びドア枠に加工を施すことなく装着でき、ドアを確実にロックすることができる。また、力ずくで取り付けプレートが曲げられることを防止でき、防犯性を高めることができる。
【発明の効果】
【００１９】
本発明の補助錠用金具及び補助錠装置によれば、錠と壁とが接触して施錠できないという問題点を解決し、入隅型（又は入隅型以外）の壁構造を有する玄関ドアに使用でき、ドアを確実にロックすることができる。また、ドア及びドア枠に加工を施すことなく装着できる。さらに、入隅型の壁構造を有する玄関ドアの場合、力ずくで取り付けプレートを曲げようとしても、外側部材が壁にぶつかるため、ドアがこじ開けられることを防止できる。
【図面の簡単な説明】
【００２０】
【図１】本発明の第１の実施形態に係る補助錠装置の構成を概略的に示す斜視図である。
【図２】図１の補助錠装置がロック状態にある場合の構成を概略的に示す断面図である。
【図３】図１の補助錠装置がロック解除状態にある場合の構成を概略的に示す断面図である。
【図４】第１の実施形態に係る補助錠用金具の構成を概略的に示す分解斜視図である。
【図５】第１の実施形態に係る補助錠用金具の構成を概略的に示す斜視図である。
【図６】図１の補助錠装置の取り付けプレートの構成を概略的に示す図である。
【図７】本発明の第２の実施形態に係る補助錠装置の構成を概略的に示す断面図である。
【図８】第２の実施形態に係る補助錠用金具の構成を概略的に示す分解斜視図である。
【図９】本発明の第３の実施形態に係る補助錠装置の構成を概略的に示す斜視図である。
【図１０】本発明の第４の実施形態に係る補助錠用金具の構成を概略的に示す斜視図である。
【図１１】図１０の補助錠用金具の構成を概略的に示す断面図である。
【図１２】図１０の補助錠用金具がロック解除状態及びロック状態にある場合の構成を概略的に示す平面図である。
【図１３】本発明の第５の実施形態に係る補助錠用金具の構成を概略的に示す斜視図である。
【図１４】図１３の補助錠用金具の構成を概略的に示す分解斜視図である。
【図１５】図１３の補助錠用金具の構成を概略的に示す断面図である。
【発明を実施するための形態】
【００２１】
以下、本発明に係る補助錠用金具及びこの金具を用いた補助錠装置の種々の実施形態について図を参照して説明する。
【００２２】
図１及び図２は本発明の第１の実施形態に係る補助錠装置１００がロック状態にある場合の全体の構成を示しており、図３はこの補助錠装置１００がロック解除状態にある場合の構成を示しており、図４及び図５は補助錠用金具１０の構成を示しており、図６は取り付けプレート２０の構成を示している。ただし、図６（ａ）は上から見た図であり、図６（ｂ）は側面から見た図である。
【００２３】
図１〜図３に示すように、本実施形態に係る補助錠装置１００は、補助錠用金具１０と、ドア枠１に固定され、ドアの外側に露出する外側端部２１に施錠用挿通孔２２を有する取り付けプレート２０と、補助錠用金具１０の錠杆挿通孔１３ａ及び１８ａに挿通する錠杆を有する錠３０とを備えている。
【００２４】
補助錠用金具１０は、図４及び図５に示すように、ドア枠１に固定され、施錠用挿通孔２２を有する取り付けプレート２０の外側端部２１に嵌合しドア２の外表面を押さえるものである。この補助錠用金具１０は、略箱状の外側部材１０ａと、この外側部材１０ａの内側に配置された内側部材１０ｂとを備えている。
【００２５】
外側部材１０ａは、一方の端部に設けられ、取り付けプレート２０の外側端部２１が挿入可能な挿入部１１と、ドア２の外表面を押さえる扉押さえ部１２と、挿入部１１と反対側の他方の端部に設けられた錠杆挿通孔１３ａ、１３ｂ及び１３ｃと、ガイド穴１４とを有している。錠杆挿通孔１３ａ及び１３ｂは、外側部材１０ａの互いに対向する両側面Ｓ１の他端部（挿入部１１と反対側）に設けられており、錠杆挿通孔１３ｃは、外側部材１０ａの天面Ｔ１に対して外側部材１０ａから離れる方向に垂直に折り曲げて形成された折り曲げ部Ｗ１に設けられている。扉押さえ部１２は、両側面Ｓ１の側辺を外側部材１０ａから離れる方向に垂直に折り曲げて形成されるものである。扉押さえ部１２のドア２の外表面に当接する面には緩衝材Ｒ１が設けられている。緩衝材Ｒ１は、例えばゴム板材から形成されている。
【００２６】
内側部材１０ｂは、外側部材１０ａの内側にスライド可能に配置された本体部１５と、この本体部１５の一方の端から突出して設けられ、取り付けプレート２０の施錠用挿通孔２２に挿通可能な突部１６と、本体部１５に設けられ、外側部材１０ａのガイド穴１４に挿通してこの外側部材１０ａに連結すると共に、ガイド穴１４に沿ってスライド可能なガイドピン１７と、外側部材１０ａの錠杆挿通孔１３ａ、１３ｂ及び１３ｃに対応する位置に設けられた錠杆挿通孔１８ａ、１８ｂ及び１８ｃと、ワッシャ１９とを有している。ガイドピン１７の一端は、溶接又はカシメ等方法でピン装着穴１７ａに固着されている。錠杆挿通孔１８ａ及び１８ｂは、内側部材１０ｂの本体部１５の対向する両側面Ｓ２の他方の端（突部１６の反対側）に設けられており、錠杆挿通孔１８ｃは、本体部１５の天面Ｔ２に対して内側部材１０ｂから離れる方向に垂直に折り曲げて形成された折り曲げ部Ｗ２に設けられている。ワッシャ１９は、例えば樹脂製であり、外側部材１０ａと内側部材１０ｂとの間にガイドピン１７が挿通される状態に配置されている。このワッシャ１９により内側部材１０ｂをスムーズにスライドすることができる。内側部材１０ｂは、外側部材１０ａの挿入部１１側にスライドされると、突部１６が施錠用挿通孔２２に挿通されてロック状態となるように構成されている。また、折り曲げ部Ｗ２の外形（例えば、幅）は、折り曲げ部Ｗ１よりわずかに大きく形成されている。これにより、内側部材１０ｂをスライドさせる際に、折り曲げ部Ｗ２をつまみとして利用でき、スライド操作が容易となる。
【００２７】
取り付けプレート２０は、ドア枠１とドア２との間から外部に露出する外側端部２１と、この外側端部２１に設けられた施錠用挿通孔２２と、ドア枠１に固定するための取り付け部２３と、取り付けネジ２４と備えている。取り付けネジ２４によりドア枠１に加工を施すことなく装着できる。
【００２８】
錠３０は、補助錠用金具１０の錠杆挿通孔１３ａと１８ａ（１３ｂと１８ｂ、又は１３ｃと１８ｃ）に挿通する錠杆を有するものである。例えば、南京錠やディンプル錠等を用いて施錠することができる。本実施例においては、１つの南京錠を用いている。
【００２９】
図３はロックが解除されている状態を示している。同図に示すように、補助錠装置１００のロック状態から、錠３０を開錠し、さらに内側部材１０ｂを挿入部１１と反対側にスライドさせると、突部１６が施錠用挿通孔２２から退出し、ロック解除状態となる。これにより、ドアを開くことができる。
【００３０】
以上説明したように、本実施形態の補助錠装置１００は、補助錠用金具１０を用いたものである。この補助錠用金具１０は、ドア枠１に固定された取り付けプレート２０の外側端部２１に嵌合しドア２の外表面を押さえるものであって、一方の端部に設けられ、取り付けプレート２０の外側端部２１が挿入可能な挿入部１１、ドア２の外表面を押さえる扉押さえ部１２、並びに挿入部１１と反対側の他方の端部に設けられた錠杆挿通孔１３ａ、１３ｂ及び１３ｃを有する外側部材１０ａと、外側部材１０ａの内側にスライド可能に配置され、施錠用挿通孔２２に挿通可能な突部１６、並びに外側部材１０ａの錠杆挿通孔１３ａ、１３ｂ及び１３ｃのそれぞれに対応する位置に設けられた錠杆挿通孔１８ａ、１８ｂ及び１８ｃを有する内側部材１０ｂとを備え、内側部材１０ｂは外側部材１０ａの挿入部１１側にスライドされると、突部１６が施錠用挿通孔２２に挿通されてロック状態になる。これにより、入隅型の壁構造を有する玄関ドアに使用でき、ドア枠１及びドア２に加工を施すことなく装着でき、ドア２を確実にロックすることができる。また、入隅型の壁構造を有する玄関ドアの場合、力ずくで取り付けプレートを曲げようとしても、外側部材１０ａが壁にぶつかるため、ドアがこじ開けられることを防止できる。なお、補助錠装置１００は、ドア枠１の丁番側以外の場所に設置可能である。
【００３１】
また、外側部材１０ａ及び内側部材１０ｂの各々に複数の錠杆挿通孔１３ａ、１３ｂ、１３ｃ、及び１８ａ、１８ｂ、１８ｃが設けられていることで、同時に２つ以上の錠で施錠することができ、防犯性をより高めることができる。
【００３２】
さらに、扉押さえ部１２の少なくともドアの外表面に当接する面に緩衝材が設けられていることで、補助錠用金具１０によりドア２の外表面を傷つけることを防止できる。
【００３３】
図７は本発明の第２の実施形態に係る補助錠装置２００の構成を示しており、図８は補助錠装置２００の補助錠用金具１０Ａの構成を示している。ただし、図７は補助錠装置２００がロック状態にある場合を示しており、図８は補助錠装置２００の補助錠用金具１０Ａを分解状態で示している。
【００３４】
図７及び図８に示すように、本実施形態に係る補助錠装置２００は、補助錠用金具１０Ａと、ドア枠１に固定され、外側端部２１に施錠用挿通孔２２を有する取り付けプレート２０と、補助錠用金具１０Ａの錠杆挿通孔に挿通する錠杆を有する錠３０とを備えている。
【００３５】
本実施形態における取り付けプレート２０、及び錠３０の構成は、第１の実施形態の場合と同様であるため、説明を省略する。
【００３６】
補助錠用金具１０Ａは、ドア枠１に固定され、施錠用挿通孔２２を有する取り付けプレート２０の外側端部２１に嵌合しドア２の外表面を押さえるものである。この補助錠用金具１０Ａは、略箱状の外側部材１０ａと、この外側部材１０ａの内側に配置された内側部材１０ｂとを備えている。
【００３７】
外側部材１０ａは、一方の端部に設けられ、取り付けプレート２０の外側端部２１が挿入可能な挿入部１１と、ドア２の外表面を押さえる扉押さえ部１２と、ドア枠１の外表面を押さえる鍔部としての枠押さえ部１２Ａと、挿入部１１と反対側の他方の端部に設けられた錠杆挿通孔１３ａ、１３ｂ及び１３ｃと、ガイド穴１４とを有している。錠杆挿通孔１３ａ及び１３ｂは、外側部材１０ａの互いに対向する両側面Ｓ１の他端（挿入部１１の反対側）に設けられており、錠杆挿通孔１３ｃは、外側部材１０ａの天面Ｔ１に対して外側部材１０ａから離れる方向に垂直に折り曲げて形成された折り曲げ部Ｗ１に設けられている。扉押さえ部１２は、両側面Ｓ１の側辺を外側部材１０ａから離れる方向に垂直に折り曲げて形成されるものである。枠押さえ部１２Ａは、挿入部１１の外側に設けられている。この枠押さえ部１２Ａのドア枠１の外表面に当接する面に緩衝材Ｒ２が設けられている。緩衝材Ｒ１及びＲ２は、例えばゴム板材から形成されている。
【００３８】
内側部材１０ｂは、外側部材１０ａの内側にスライド可能に配置された本体部１５と、この本体部１５の一方の端から突出して設けられ、取り付けプレート２０の施錠用挿通孔２２に挿通可能な突部１６と、本体部１５に設けられ、外側部材１０ａのガイド穴１４に挿通してこの外側部材１０ａに連結すると共に、ガイド穴１４に沿ってスライド可能なガイドピン１７と、外側部材１０ａの錠杆挿通孔１３ａ、１３ｂ及び１３ｃに対応する位置に設けられた錠杆挿通孔１８ａ、１８ｂ及び１８ｃと、ワッシャ１９とを有している。ガイドピン１７の一端は、溶接又はカシメ等方法でピン装着穴１７ａに固着されている。錠杆挿通孔１８ａ及び１８ｂは、内側部材１０ｂの本体部１５の対向する両側面Ｓ２の他方の端（突部１６の反対側）に設けられており、錠杆挿通孔１８ｃは、本体部１５の天面Ｔ２に対して内側部材１０ｂから離れる方向に垂直に折り曲げて形成された折り曲げ部Ｗ２に設けられている。ワッシャ１９は、例えば樹脂製であり、外側部材１０ａと内側部材１０ｂとの間にガイドピン１７が挿通される状態に配置されている。このワッシャ１９により内側部材１０ｂをスムーズにスライドすることができる。内側部材１０ｂは、外側部材１０ａの挿入部１１側にスライドされると、突部１６が施錠用挿通孔２２に挿通されてロック状態となるように構成されている。また、折り曲げ部Ｗ２の外形（例えば、幅）は、折り曲げ部Ｗ１よりわずかに大きく形成されている。これにより、内側部材１０ｂをスライドさせる際に、折り曲げ部Ｗ２をつまみとして利用でき、スライド操作が容易となる。
【００３９】
以上説明したように、本実施形態における補助錠装置２００は、補助錠用金具１０Ａを用いたものである。この補助錠用金具１０Ａは、ドア枠１に固定された取り付けプレート２０の外側端部２１に嵌合しドア２の外表面を押さえるものであって、取り付けプレート２０の外側端部２１が挿入可能な挿入部１１と、ドア２の外表面を押さえる扉押さえ部１２と、ドア枠１の外表面を押さえる枠押さえ部１２Ａと、挿入部１１と反対側に設けられた錠杆挿通孔１３ａ、１３ｂ及び１３ｃとを有する外側部材１０ａと、外側部材１０ａの内側にスライド可能に配置され、施錠用挿通孔２２に挿通可能な突部１６と、外側部材１０ａの錠杆挿通孔１３ａ、１３ｂ及び１３ｃのそれぞれに対応する位置に設けられた錠杆挿通孔１８ａ、１８ｂ及び１８ｃを有する内側部材１０ｂとを備えている。内側部材１０ｂは外側部材１０ａの挿入部１１側にスライドされると、突部１６が施錠用挿通孔２２に挿通されてロック状態になる。これにより、ドア２及びドア枠１に加工を施すことなく装着でき、ドア２を確実にロックすることができる。また、同時に２つ以上の錠で施錠することができ、防犯性をより高めることができる。
【００４０】
また、外側部材１０ａの挿入部側にドア枠１の外表面を押さえる枠押さえ部１２Ａが設けられていることで、入隅型以外の壁構造を有する玄関ドア（即ち、ドア枠側の壁がフラットである）の場合、力ずくで取り付けプレート２０が曲げられてドア２がこじ開けられることを防止できる。
【００４１】
図９は本発明の第３の実施形態に係る補助錠装置３００の構成を示している。ただし、同図は補助錠装置３００がロック状態にある場合を示している。この第３の実施形態は、２つの異なる種類の錠で施錠する構成となっている。
【００４２】
図９に示すように、本実施形態に係る補助錠装置３００は、補助錠用金具１０と、ドア枠１に固定され、外側端部２１に施錠用挿通孔２２を有する取り付けプレート２０と、補助錠用金具１０の錠杆挿通孔１３ａ及び１８ａに挿通する錠杆を有する錠３０と、錠杆挿通孔１３ｃ及び１８ｃに挿通する錠杆を有する錠４０とを備えている。錠４０は、ディンプル錠である。
【００４３】
補助錠用金具１０、取り付けプレート２０、及び錠３０の構成は、第１の実施形態の場合と同様であるため、説明を省略する。
【００４４】
以上説明したように、本実施形態における補助錠装置３００は、補助錠用金具１０を用い、かつ、２つの錠３０及び４０で施錠する構成となっている。補助錠用金具１０は、ドア枠１に固定された取り付けプレート２０の外側端部２１に嵌合しドア２の外表面を押さえるものであり、略箱状の外側部材１０ａと、この外側部材１０ａの内側に配置された内側部材１０ｂとを備えている。これにより、入隅型の壁構造を有する玄関ドアに使用でき、ドア枠１及びドア２に加工を施すことなく装着でき、ドア２を確実にロックすることができる。また、入隅型の壁構造を有する玄関ドアの場合、力ずくで取り付けプレートを曲げようとしても、外側部材１０ａが壁にぶつかるため、ドアがこじ開けられることを防止できる。また、同時に複数の錠で施錠することで、防犯性をより高めることができる。
【００４５】
図１０及び図１１は本発明の第４の実施形態に係る補助錠用金具１０Ｂの構成を示しており、図１２は補助錠用金具１０Ｂのロック解除状態及びロック状態にある場合を示している。
【００４６】
図１０及び図１１に示すように、本実施形態に係る補助錠用金具１０Ｂは、ドア枠１に固定され、施錠用挿通孔２２を有する取り付けプレート２０の外側端部２１に嵌合しドア２の外表面を押さえるものである。この補助錠用金具１０Ｂは、略箱状の外側部材１０ａと、この外側部材１０ａの内側に配置された内側部材１０ｂとを備えている。
【００４７】
外側部材１０ａにおいて、ガイド穴１４が長方形に形成されている以外、上述した第１の実施形態の場合と同様であるため、説明を省略する。
【００４８】
内側部材１０ｂは、外側部材１０ａの内側にスライド可能に配置された本体部１５と、この本体部１５の一方の端から突出して設けられ、取り付けプレート２０の施錠用挿通孔２２に挿通可能な突部１６と、本体部１５に設けられ、外側部材１０ａのガイド穴１４に挿通してこの外側部材１０ａに連結すると共に、ガイド穴１４に沿ってスライド可能なガイドピン１７Ａと、外側部材１０ａの錠杆挿通孔１３ａ、１３ｂ及び１３ｃに対応する位置に設けられた錠杆挿通孔１８ａ、１８ｂ及び１８ｃとを有している。ガイドピン１７Ａの一端は、溶接又はカシメ等方法でピン装着穴１７ａに固着されている。ガイドピン１７Ａの他端（上部）にスライド操作を行うためのつまみ部１７ｂが設けられている。これにより、内側部材１０ｂをスライドさせる際に、スライド操作が容易となる。また、ガイドピン１７Ａの片側の本体部１５の表面に解錠状態を示す青シールが貼り付けており、反対側に施錠状態を示す赤シールが貼り付けている。錠杆挿通孔１８ａ及び１８ｂは、内側部材１０ｂの本体部１５の対向する両側面Ｓ２の他方の端（突部１６の反対側）に設けられており、錠杆挿通孔１８ｃは、本体部１５の天面Ｔ２に対して内側部材１０ｂから離れる方向に垂直に折り曲げて形成された折り曲げ部Ｗ２に設けられている。図１２（ａ）に示すように、内側部材１０ｂは、外側部材１０ａの挿入部１１側と反対側にスライドされると、青シールがガイド穴１４から露出している状態になり、ロック解除状態となる。また、図１２（ｂ）に示すように、内側部材１０ｂは、外側部材１０ａの挿入部１１側にスライドされると、突部１６が施錠用挿通孔２２に挿通されてロック状態となるように構成されている。この場合、赤シールがガイド穴１４から露出している状態になる。
【００４９】
以上説明したように、本実施形態における補助錠用金具１０Ｂは、ドア枠１に固定された取り付けプレート２０の外側端部２１に嵌合しドア２の外表面を押さえるものであって、略箱状の外側部材１０ａと、この外側部材１０ａの内側に配置された内側部材１０ｂとを備えている。内側部材１０ｂは外側部材１０ａの挿入部１１側にスライドされると、突部１６が施錠用挿通孔２２に挿通されてロック状態になる。これにより、ドア２及びドア枠１に加工を施すことなく装着でき、ドア２を確実にロックすることができる。また、同時に２つ以上の錠で施錠することができ、防犯性をより高めることができる。
【００５０】
また、ガイドピン１７Ａの他端（上部）にスライド操作を行うためのつまみ部１７ｂが設けられていることで、内側部材１０ｂをスライドさせる際に、スライド操作が容易となる。また、解錠状態を示す青シール及び施錠状態を示す赤シールを設けることで、解錠、施錠を容易に判断できる。
【００５１】
図１３〜１５は本発明の第５の実施形態に係る補助錠用金具１０Ｃの構成を示しており、ただし、図１４は補助錠用金具１０Ｃを分解状態で示している。
【００５２】
図１３〜１５に示すように、本実施形態に係る補助錠用金具１０Ｃは、ドア枠１に固定され、施錠用挿通孔２２を有する取り付けプレート２０の外側端部２１に嵌合しドア２の外表面を押さえるものである。この補助錠用金具１０Ｃは、略箱状の外側部材１０ａと、この外側部材１０ａの内側に配置された内側部材１０ｂと、外側部材１０ａのドアの外表面に当接する側に配置され、内側部材１０ｂの他方の端部を閉止するための折り曲げ部Ｗ３を有する下カバー１０ｃとを備えている。
【００５３】
外側部材１０ａにおいて、ガイド穴１４が長方形に形成されている以外、上述した第１の実施形態の場合と同様であるため、説明を省略する。
【００５４】
内側部材１０ｂは、外側部材１０ａの内側にスライド可能に配置された本体部１５と、この本体部１５の一方の端から突出して設けられ、取り付けプレート２０の施錠用挿通孔２２に挿通可能な突部１６と、本体部１５に設けられ、外側部材１０ａのガイド穴１４に挿通してこの外側部材１０ａに連結すると共に、ガイド穴１４に沿ってスライド可能なガイドピン１７Ａと、外側部材１０ａの錠杆挿通孔１３ａ、１３ｂ及び１３ｃに対応する位置に設けられた錠杆挿通孔１８ａ、１８ｂ及び１８ｃとを有している。ガイドピン１７Ａの一端は、溶接又はカシメ等方法でピン装着穴１７ａに固着されている。ガイドピン１７Ａの他端（上部）にスライド操作を行うためのつまみ部１７ｂが設けられている。これにより、内側部材１０ｂをスライドさせる際に、スライド操作が容易となる。また、ガイドピン１７Ａの片側の本体部１５の表面に解錠状態を示す青シールが貼り付けており、反対側に施錠状態を示す赤シールが貼り付けている。錠杆挿通孔１８ａ及び１８ｂは、内側部材１０ｂの本体部１５の対向する両側面Ｓ２の他方の端（突部１６の反対側）に設けられており、錠杆挿通孔１８ｃは、本体部１５の天面Ｔ２に対して内側部材１０ｂから離れる方向に垂直に折り曲げて形成された折り曲げ部Ｗ２に設けられている。図１２（ａ）に示すように、内側部材１０ｂは、外側部材１０ａの挿入部１１側と反対側にスライドされると、青シールがガイド穴１４から露出している状態になり、ロック解除状態となる。また、内側部材１０ｂは、外側部材１０ａの挿入部１１側にスライドされると、突部１６が施錠用挿通孔２２に挿通されてロック状態となるように構成されている。この場合、赤シールがガイド穴１４から露出している状態になる。
【００５５】
下カバー１０ｃは、外側部材１０ａの扉押さえ部１２のドア２の外表面に当接する側に配置されるものであり、取り付けプレート２０の外側端部２１が挿入可能な貫通穴Ｙと、内側部材１０ａの他方の端部を閉止するための折り曲げ部Ｗ３とを有している。この下カバー１０ｃは、金属又は樹脂等材料から形成されている。樹脂等材料を用いる場合は、上述した第１〜第３の実施形態における緩衝材Ｒ１の代わり、補助錠用金具１０Ｃによりドア２の外表面を傷つけることを防止することができる。
【００５６】
以上説明したように、本実施形態における補助錠用金具１０Ｃは、ドア枠１に固定された取り付けプレート２０の外側端部２１に嵌合しドア２の外表面を押さえるものであって、略箱状の外側部材１０ａと、この外側部材１０ａの内側に配置された内側部材１０ｂと、外側部材１０ａのドアの外表面に当接する側に配置され、内側部材１０ｂの他方の端部を閉止するための折り曲げ部Ｗ３を有する下カバー１０ｃを備えている。内側部材１０ｂは外側部材１０ａの挿入部１１側にスライドされると、突部１６が施錠用挿通孔２２に挿通されてロック状態になる。これにより、ドア２及びドア枠１に加工を施すことなく装着でき、ドア２を確実にロックすることができる。また、同時に２つ以上の錠で施錠することができ、防犯性をより高めることができる。
【００５７】
また、内側部材１０ｂの他方の端部を閉止するための折り曲げ部Ｗ３を有する下カバー１０ｃが設けられていることで、外側部材の内部にゴミを入れられる等のいたずらを防止することができる。
【００５８】
また、ガイドピン１７Ａの他端（上部）にスライド操作を行うためのつまみ部１７ｂが設けられていることで、内側部材１０ｂをスライドさせる際に、スライド操作が容易となる。また、解錠状態を示す青シール及び施錠状態を示す赤シールを設けることで、解錠、施錠を容易に判断できる。
【００５９】
なお、前述した実施形態の補助錠装置１００及び２００においては、１つの錠３０で施錠する例を説明したが、本発明はこれに限定されるものではない。２つ又は３つの錠で施錠するようにしても良い。
【００６０】
また、前述した実施形態の補助錠装置１００及び３００においては、扉押さえ部１２のドア２の外表面に当接する面に緩衝材Ｒ１が設けられ、補助錠装置２００においては、扉押さえ部１２のドア２の外表面に当接する面に緩衝材Ｒ１が設けられ、枠押さえ部１２Ａのドア枠１の外表面に当接する面に緩衝材Ｒ２が設けられている例を説明したが、本発明はこれに限定されるものではない。例えば、扉押さえ部１２又は／及び枠押さえ部１２Ａの全体を緩衝材で覆うようにしても良い。
【００６１】
また、前述した実施形態の補助錠装置１００、２００及び３００においては、外側部材１０ａ及び内側部材１０ｂは、それぞれ複数の錠杆挿通孔１３ａ、１３ｂ、１３ｃ、及び１８ａ、１８ｂ、１８ｃが設けられている例を説明したが、本発明はこれに限定されるものではない。例えば、外側部材１０ａには錠杆挿通孔１３ｃのみ、内側部材１０ｂには、錠杆挿通孔１８ｃのみを設けるようにしても良い。
【００６２】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００６３】
本発明は、開き戸において、既設の錠を使用せずに、かつドア及びドア枠に加工を施すことなく、ドアを確実にロックする目的に利用できる。
【符号の説明】
【００６４】
１  ドア枠
２  ドア
１０、１０Ａ、１０Ｂ、１０Ｃ  補助錠用金具
１０ａ  外側部材
１０ｂ  内側部材
１０ｃ  下カバー
１１  挿入部
１２  扉押さえ部
１２Ａ  枠押さえ部
１３ａ、１３ｂ、１３ｃ、１８ａ、１８ｂ、１８ｃ  錠杆挿通孔
１４  ガイド穴
１５  本体部
１６  突部
１７、１７Ａ  ガイドピン
１７ａ  ピン装着穴
１７ｂ  つまみ部
１９  ワッシャ
２０  取り付けプレート
２１  外側端部
２２  施錠用挿通孔
２３  取り付け部
２４  取り付けネジ
３０、４０  錠
１００、２００、３００  補助錠装置
Ｒ１、Ｒ２  緩衝材
Ｓ１、Ｓ２  側面
Ｔ１、Ｔ２  天面
Ｗ１、Ｗ２、Ｗ３  折り曲げ部
Ｙ  貫通穴
【図１】
2016211159.tif 000003
【図２】
2016211159.tif 000004
【図３】
2016211159.tif 000005
【図４】
2016211159.tif 000006
【図５】
2016211159.tif 000007
【図６】
2016211159.tif 000008
【図７】
2016211159.tif 000009
【図８】
2016211159.tif 000010
【図９】
2016211159.tif 000011
【図１０】
2016211159.tif 000012
【図１１】
2016211159.tif 000013
【図１２】
2016211159.tif 000014
【図１３】
2016211159.tif 000015
【図１４】
2016211159.tif 000016
【図１５】
2016211159.tif 000017